(57)【要約】【課題】  車室内用空気吹出装置であるレジスタ１０の空気吹出口を開閉する両フィン１２，１３の連結機構に存在するガタに起因する、両フィン１２，１３の円滑な連動回動の阻害を防止する。【解決手段】空気吹出口を開閉する両フィンの下側に位置する第２フィン１３側に受承部１６ｂを設け、当該受承部１６ｂにて、連結機構１０ａを構成する連結ロッド１４の下端側の連結部位を下側から受承して、連結ロッド１４のガタに起因する、下がって傾く現象を規制し、両フィン１２，１３の円滑な連動的回動動作を確保する。【選択図】  図５
2008024241.tif 000002
【特許請求の範囲】
【請求項１】
空気誘導路を形成する円筒状の筒体と、前記筒体の内部にて回動可能に支持されて同筒体の先端側の空気吹出口を開閉する上側に位置する第１の風向調整板および下側に位置する第２の風向調整板と、これら各風向調整板を互いに連結してこれらの風向調整板を連動して回動させる連結部材を備え、前記両風向調整板を、前記筒体の軸線に対して互いに略平行となる並列状態と互いに略直交となる直列状態との範囲の間で回動調整することにより、前記筒体の前記空気吹出口を開放して吹出される空気流の吹出し方向を調整する配風機能、および、前記筒体の空気吹出口を閉鎖して空気流の吹出しを遮断する風遮断機能を発揮する車室内用空気吹出装置であり、前記両風向調整板を互いに連動可能に連結する連結機構は、前記第１の風向調整板の背面側から同風向調整板の回動支点の上方または下方を後方へ延びる第１の連結アームと、前記第２の風向調整板の背面側から同風向調整板の回動支点の上方または下方を後方へ延びる第２の連結アームと、これら両連結アームの後端部に上下各端部を回動可能に連結されてこれら両連結アームを互いに連結する連結部材からなり、前記連結部材の下端部は、少なくとも前記両風向調整板が前記空気吹出口を閉鎖している状態において、前記第２の連結アーム側に設けた受承部にて受承されるように構成されていることを特徴とする車室内用空気吹出装置。
【請求項２】
請求項１に記載の車室内用空気吹出装置であり、当該車室内用空気吹出装置は、前記第２の風向調整板の背面側に位置して同第２の風向調整板の回動支点を中心に同第２の風向調整板と一体に回動して同第２の風向調整板の配風機能を補助する第３の風向調整板を備え、前記連結機構を構成する前記受承部は、前記第３の風向調整板と前記第２の風向調整板を互いに連結する連結アームに設けられていることを特徴とする車室内用空気吹出装置。
【請求項３】
請求項１または２に記載の車室内用空気吹出装置であり、前記連結機構を構成する前記連結部材は、前記両アームの後端部から後方へ略逆コ字状に屈曲して突出する屈曲状ロッドであることを特徴とする車室内用空気吹出装置。
【発明の詳細な説明】
【技術分野】
【０００１】
本発明は、センタレジスタ、サイドレジスタ、ロアレジスタ、サイドデフロスタ等、車室内用空気吹出装置に関する。
【背景技術】
【０００２】
車室内用空気吹出装置の一形式として、空気誘導路を形成する円筒状の筒体と、前記筒体の内部にて回動可能に支持されて同筒体の先端側の空気吹出口を開閉する上側に位置する第１の風向調整板および下側に位置する第２の風向調整板と、これら各風向調整板を互いに連結してこれらの風向調整板を互いに連動して回動させる連結部材を備える形成の車室内用空気吹出装置がある。
【０００３】
当該形式の車室内用空気吹出装置は、前記両風向調整板を、前記筒体の軸線に対して互いに略平行となる並列状態と互いに略直交となる直列状態との範囲の間で回動調整することにより、前記筒体の前記空気吹出口を開放して吹出される空気流の吹出し方向を調整する配風機能、および、前記筒体の空気吹出口を閉鎖して空気流の吹出しを遮断する風遮断機能を発揮するものであり、その一例が「レジスタ」なる名称にて特許出願されている（特許文献１を参照）。
【０００４】
当該形式の車室内用空気吹出装置においては、両風向調整板を互いに連動可能に連結する連結機構は、前記第１の風向調整板の背面側から同風向調整板の回動支点の上方または下方を後方へ延びる第１の連結アームと、前記第２の風向調整板の背面側から同風向調整板の回動支点の上方または下方を後方へ延びる第２の連結アームと、これら両連結アームの後端部に上下各端部を回動可能に連結されてこれら両連結アームを互いに連結する連結部材とにより構成されている。
【０００５】
かかる構成の連結機構を装備している当該形式の車室内用空気吹出装置においては、空気吹出口が閉鎖されている風遮断時には、両風向調整板は、空気誘導路を形成している筒体の軸線に対して直交する起立状態にあり、配風機能を発揮させるべく空気吹出口を開放するには、例えば、両風向調整板のいずれか一方の上縁部または下縁部を後方へ押動操作する。これにより、一方の風向調整板は回動動作するとともに、連結部材は後方かつ下方へ回動しつつ移動し、連結部材の後方かつ下方への回動移動動作によって、他方の風向調整板が一方の風向調整板と略平行状態を維持した状態で回動する。この結果、空気吹出口は所望量開放されて、当該車室内用空気吹出装置は、空気吹出口から吹出される空気流を所望の方向に指向する。なお、配風機能を発揮している状態の両風向調整板においては、前方へ回動している縁部は、空気吹出口から前方へ所定長さ突出した状態にある。
【０００６】
配風機能を発揮している車室内空気吹出装置において、空気吹出口から吹出されている空気流を遮断するには、両風向調整板のいずれか一方の前方へ突出している縁部を後方へ押動操作する。これにより、一方の風向調整板は回動動作するとともに、連結部材は前方かつ上方へ回動しつつ移動し、連結部材の前方かつ上方への回動移動動作によって、他方の風向調整板が一方の風向調整板と略平行状態を維持した状態で回動する。この結果、両風向調整板は、空気誘導路を形成している筒体の軸線に対して直交する起立状態に復帰して、空気吹出口を閉鎖する。
【０００７】
このように、上記した構成の連結機構を装備する車室内用空気吹出装置においては、吹出空気の風向を調整する操作および吹出空気流を遮断する操作は、両風向調整板のいずれか一方を押動動作することによりなされることから、使い勝手が頗る良好であるという利点がある。
【特許文献１】特開２００４−４２８０９号公報
【発明の開示】
【発明が解決しようとする課題】
【０００８】
ところで、当該車室内空気吹出装置においては、両風向調整板を連動して回動して空気吹出口を開放および閉鎖する際、両風向調整板を円滑に回動動作させるのは、両風向調整板の回動支点を結ぶ線（結線）と、連結部材における両連結アームの連結部位（両回動支点）を結ぶ線（結線）とが互いに平行であることが要請される。しかしながら、連結部材における両連結アームの連結部位にガタが存在している場合には、連結部材は当該ガタに起因して下がって傾き、これら両結線の平行状態を確保し得ず、両風向調整板を円滑に回動動作させることができない。
【０００９】
連結部材における両連結アームの連結部位のガタは、各連結アームや連結部材の寸法誤差や組付誤差、各風向調整板の支持部位の組付誤差等により発生することがあり、また、各連結アームと連結部材との連結部位や、各風向調整板の支持部位の長期使用による摩耗等の損傷によって発生すことがある。連結機構にこのようなガタが存在していると、上記した両風向調整板側の結線と連結部材側の結線との平行状態が確保し得ず、各風向調整板に作用する動作力が互いに均等を欠くことになって、両風向調整板の円滑な連動動作が妨げられることになる。
【００１０】
従って、本発明の目的は、当該連結機構にガタが存在しまたはガタが発生している場合においても、両風向調整板側の結線と連結部材側の結線との平行状態を確保し得るようにして、両風向調整板の円滑な連動動作を確保することにある。
【課題を解決するための手段】
【００１１】
本発明は、車室内用空気吹出装置に関する。本発明に係る車室内用空気吹出装置は、空気誘導路を形成する円筒状の筒体と、前記筒体の内部にて回動可能に支持されて同筒体の先端側の空気吹出口を開閉する上側に位置する第１の風向調整板および下側に位置する第２の風向き調整板と、これら各風向調整板を互いに連結してこれらの風向調整板を連動して回動させる連結部材を備え、前記両風向調整板を、前記筒体の軸線に対して互いに略平行となる並列状態と互いに略直交となる直列状態との範囲の間で回動調整することにより、前記筒体の前記空気吹出口を開放して吹出される空気流の吹出し方向を調整する配風機能、および、前記筒体の空気吹出口を閉鎖して空気流の吹出しを遮断する風遮断機能を発揮する車室内用空気吹出装置である。
【００１２】
しかして、本発明に係る車室内用空気吹出装置においては、前記両風向調整板を互いに連動可能に連結する連結機構は、前記第１の風向調整板の背面側から同風向調整板の回動支点の上方または下方を後方へ延びる第１の連結アームと、前記第２の風向調整板の背面側から同風向調整板の回動支点の上方または下方を後方へ延びる第２の連結アームと、これら両連結アームの後端部に上下各端部を回動可能に連結されてこれら両連結アームを互いに連結する連結部材からなり、前記連結部材の下端部は、少なくとも前記両風向調整板が前記空気吹出口を閉鎖している状態において、前記第２の連結アーム側に設けた受承部にて受承されるように構成されていることを特徴とするものである。
【００１３】
本発明は、風向調整板として、前記第１の風向調整板および前記第２の風向調整板を備える車室内空気吹出装置のみならず、前記第２の風向調整板の背面側に位置して、同第２の風向調整板の回動支点を中心に同第２の風向調整板と一体に回動して、同第２の風向調整板の配風機能を補助する第３の風向調整板を備える車室内用空気吹出装置にも適用することができる。当該車室内用空気吹出装置においては、前記連結機構を構成する前記受承部を、前記第３の風向調整板と前記第２の風向調整板を互いに連結する連結アームに設ける構成とすることができる。
【００１４】
本発明に係るこれらの各車室内用空気吹出装置においては、前記連結機構を構成する前記連結部材を、前記両アームの後端部から後方へ略逆コ字状に屈曲して突出する屈曲状ロッドとすることができる。
【発明の効果】
【００１５】
本発明に係る車室内用空気吹出装置においては、前記第２の風向調整板側に、両連結アームを互いに連結している連結部材の下端部を受承する受承部を備えている。このため、前記連結機構の連結部材における両連結アームの連結部位にガタが存在している場合においても、連結部材は当該ガタに起因して下がって傾くというようなことはない。
【００１６】
このため、当該連結機構にガタが存在している場合においても、両風向調整板の回動支点を結ぶ線（風向調整板側の結線）と連結部材における両連結アームの連結部位（両回動支点）を結ぶ線（連結部材側の結線）との平行状態は確保される。この結果、連結機構にガタが存在していても、各風向調整板に作用する動作力が互いに均等になって、両風向調整板の円滑な連動動作が確保される。換言すれば、両風向調整板を連動して回動して空気吹出口を開放および閉鎖する際の、両風向調整板の円滑な回動動作が確保される。
【発明を実施するための最良の形態】
【００１７】
本発明は、車室内のインストルメントパネル等に設置されて、センタレジスタ、サイドレジスタ、ロアレジスタ、サイドデフロスタ等として機能する車室内用空気吹出装置に関する。図１〜図６には、本発明に係る車室内用空気吹出装置の一実施形態であるレジスタを示している。図１は当該レジスタの側面図、図２は当該レジスタの空気吹出口を全閉した状態の正面図、図３は当該レジスタの空気吹出口を所定量開放させた半開した状態の正面図、図４は当該レジスタの空気吹出口を全閉した状態の背面図、図５は当該レジスタの空気吹出口を全閉した状態の縦断面図、図６は、当該リテーナの空気吹出口を半開した状態の縦断面図である。
【００１８】
当該レジスタ１０は、円筒状の筒体であるケース１１、主たる風向調整板の第１の風向調整板である第１フィン１２および第２の風向調整板である第２フィン１３、第１フィン１２および第２フィン１３を互いに連結する連結機構１０ａの構成部材である連結ロッド１４、副たる風向調整板の第３の風向調整板である第３フィン１５、第２フィン１３および第３フィン１５を互いに連結する連結アーム１６を備えるとともに、嵌合されたケース１１を受承してケース１１とともに空気流通路を形成するリテーナ１７、ケース１１の先端部に嵌合されて空気吹出口を形成する円環状のカバー１８を備えている。
【００１９】
ケース１１は、リテーナ１７とともに円筒状の空気誘導路ＡＲを形成するもので、所定長さを有する円筒状のケース本体１１ａを主体とし、その先端側の開口部に嵌合されたカバー１８が空気吹出口を形成している。また、ケース１１を受承しているリテーナ１７の後端側の開口部は、空気導入口を形成している。ケース本体１１ａの後端側の開口部には、その縁部から延びる円弧状のロッド状の支持アーム１１ｂが形成されていて、支持アーム１１ｂの長さ方向の中央部、換言すれば、ケース本体１１ａの中心軸線上の部位が支持部１１ｃに形成されている。支持部１１ｃは、後方に開口する嵌合孔を備えている。
【００２０】
第１フィン１２は、外周形状が略楕円形状で平板状を呈しているもので、略楕円形状で平板状のフィン本体１２ａと、フィン本体１２ａの背面側の中央部より下方に突設されている左右一対の支持アーム１２ｂと、フィン本体１２ａの背面側の中央部より上方に突設されている連結アーム１２ｃを備えている。第１フィン１２は、各支持アーム１２ｂの後端部にて、ケース１１の内周壁の側部に回動可能に支持されていて、回動支点Ａ1を中心に上下方向かつ前後方向に回動可能となっている。連結アーム１２ｃは、第１フィン１２の回動支点Ａ1より上方を後方へ延びている。
【００２１】
第２フィン１３は、外周形状が略楕円形状で平板状を呈しているもので、略楕円形状で段付きの平板状のフィン本体１３ａと、フィン本体１３ａの背面側の中央部より下方に突設されている左右一対の支持アーム１３ｂと、フィン本体１３ａの背面側の中央部より上方に突設されている連結アーム１３ｃを備えている。第２フィン１３は、各支持アーム１２ｂの中間部にて、ケース１１の内周壁の側部に回動可能に支持されていて、回動支点Ａ2を中心に上下方向かつ前後方向に回動可能となっている。連結アーム１３ｃは、第２フィン１２の回動支点Ａ2より上方を後方へ延びている。第２フィン１３が起立状態にある場合には、フィン本体１３ａの図示上方側の表面部位（窪み凹部１３ａ1）は、起立状態にある第１フィン１２の図示下方側の背面部位に重合した状態で位置して、空気吹出口を閉鎖する（図５を参照）。
【００２２】
第２フィン１３を構成する両支持アーム１３ｂは、第１フィン１２を構成する両支持アーム１２ｂより所定長さ後方へ長く形成されて、第３フィン１５の外側側部に連結していて、第２フィン１３および第３フィン１５を互いに連結する連結アームとしても機能している。従って、当該空気吹出装置１０においては、第２フィン１３を構成している支持アーム１３ｂを連結アーム１６とも称している。
【００２３】
第３フィン１５は、連結アーム１６を介して第２フィン１３に連結されている状態では、第３フィン１５を構成する平板状のフィン本体１５ａは、第２フィン１３のフィン本体１３ａとは所定間隔を維持した並列状態にあって、第２フィン１３の背面側に位置している。第３フィン１５は、第２フィン１３の回動支点Ａ2を中心とする回動時には、回動支点Ａ2を中心として、第２フィン１３とは並列状態を維持した状態で一体に回動する。
【００２４】
第１フィン１２と第２フィン１３を互いに連結する連結機構１０ａは、第１フィン１２が有する連結アーム１２ｃと、第２フィン１３が有する連結アーム１３ｃと、連結ロッド１４にて構成されている。各連結アーム１２ｃ，１３ｃは、上下方向に所定間隔を維持して略同じ長さ後方へ延びており、また、連結ロッド１４は、略コ字状に屈曲する形状に形成されたコ字状を呈するロッドである。連結ロッド１４は、コ字状部位を後方へ突出した状態で、その上下各端部を各連結アーム１２ｃ，１３ｃの後端部に回動可能に連結されて、両連結アーム１２ｃ，１３ｃを互いに連結している。これにより、当該連結ロッド１４は、第１フィン１２および第２フィン１３とは干渉することなく、これらの両フィン１２，１３の連動的な回動を許容する。
【００２５】
当該連結機構１０ａを構成する連結ロッド１４においては、両連結アーム１２ｃ，１３ｃに対する上下両端部の連結部位が回動支点Ｂ1，Ｂ2となっていて、連結機構１０ａが図５に示す状態にある場合には、連結ロッド１４は、両回動支点Ｂ1，Ｂ2を中心に回動して、下方かつ後方への回動移動動作を許容される。また、連結機構１０ａが図６に示す状態にある場合には、連結ロッド１４は、両回動支点Ｂ1，Ｂ2を中心に回動して、上方かつ前方への回動移動動作を許容される。両回動支点Ｂ1，Ｂ2を結ぶ線（連結ロッド側の結線Ｌ1）は、第１フィン１２および第２フィン１３の回動支点Ａ1，Ａ2を結ぶ線（フィン側の結線Ｌ2）とは略平行状態にある。また、第２フィン１３および第３フィン１５を互いに連結する連結アーム１６のアーム本体１６ａの後端部には、上方へ突出する受承部１６ｂが形成されている。
【００２６】
連結アーム１６の受承部１６ｂは、図５および図６に示すように、連結機構１０ａを構成している連結ロッド１４の下端側連結部位を下方から受承すべく機能する。当該受承部１６ｂは、連結機構１０ａにガタが存在している場合でも、連結ロッド１４の下端側連結部位を下方から受承することにより、連結ロッド１４の下がりに起因する傾きを阻止して、連結ロッド側の結線Ｌ1とフィン側の結線Ｌ2との平行状態を維持する。
【００２７】
ケース１１内に、第１フィン１２、第２フィン１３および第３フィン１５をケース１１内に組付けるとともに、第１フィン１２および第２フィン１３を連結機構１０ａにて互いに連結してなる組立体は、それ自体リテーナとして機能することから、本実施形態では、当該組立体をインナレジスタ１０ｂと称する。当該インナレジスタ１０ｂは、リテーナ１７の円筒状本体１７ａ内に嵌合されてリテーナ１７内に組付けられ受承されており、インナレジスタ１０ｂを構成するケース本体１１ａにおける先端側の開口部の外周縁には、円環状のカバー１８が嵌合されている。カバー１８は、ケース本体１１ａの先端側の開口部を、空気吹出口に形成している。従って、当該レジスタ１０は、インナレジスタ１０ｂと、インナレジスタ１０ｂを嵌合して受承しているリテーナ１７にて構成されている。リテーナ１７は、インナレジスタ１０ｂを構成しているケース１１と一体となって、空気誘導路ＡＲを形成している。
【００２８】
リテーナ１７は、円筒状のリテーナ本体１７ａを主体とするもので、先端側の開口部は全面開口していて、ケース１１が大径内孔内の段部にまで嵌合可能になっている。また、リテーナ本体１７ａの後端側の開口部は、ハニカム状の大目の網体１７ｂにて覆蓋されているもので、網体１７ｂの中央部には支持部１７ｃが形成されている。支持部１７ｃは、先端側に突出する突起部を備え、ケース１１がリテーナ本体１７ａに嵌合された際、ケース１１が有する支持部１１ｃの嵌合孔に嵌合して、ケース１１を円周方向に回転可能に支持する。また、リテーナ本体１７ａは、その内孔内の長手方向の中間部に図示しない環状の段部を備えている。当該段部は、前側端面の全周が連続する凹凸形状に形成されている。当該段部の端面は、リテーナ本体１７ａの内孔内にケース１１が嵌合された際、ケース本体１１ａの後端面に組付けた図示しないスプリングの各脚部を弾撥的に受承して支持し、ケース１１の円周方向への間欠的な回転を許容する。
【００２９】
本発明に係る当該レジスタ１０は、例えば、車室内のインストルメントパネルに組付けられて、リテーナ本体１７ａの後端側の開口部にて、インストルメントパネルに臨む空気調和装置における空気誘導ダクトの先端部に接合される。かかる組付け状態の当該レジスタ１０は、そのカバー１８、ケース１１の先端側、第１フィン１２および第２フィン１３を車室内に露出させた状態で位置し、配設された位置に基づいて、センタレジスタ、サイドレジスタ、ロアレジスタ、サイドデフロスタ等として機能する。
【００３０】
当該レジスタ１０においては、各フィン１２，１３の回動量を調整することにより、従来のこの種形式のレジスタと全く同様に、ケース１１のケース本体１１ａにおける先端側の開口部に嵌合したカバー１８が形成している空気吹出口を閉鎖して、空気吹出口からの空気流の吹出しを遮断する遮断機能、および、空気吹出口を開放して空気吹出口からの空気流の吹出し方向を所望の方向に指向させる配風機能を発揮させることができる。
【００３１】
図２および図５は、当該レジスタ１０の空気吹出口が各フィン１２，１３にて閉鎖されている状態を示しており、この閉鎖状態では、各フィン１２，１３は空気吹出口を全閉している。また、図３および図６は、当該レジスタ１０の空気吹出口が開放されている状態を示しており、この開放状態では、各フィン１２，１３は空気吹出口を所望量開放した半開している。当該レジスタ１０では、各フィン１２，１３を、空気吹出口を全閉状態とする回動位置（起立状態）と全閉状態とする回動位置（水平並列状態）との間で、回動位置を適宜に調整することができる。乗員は、各フィン１２，１３を手の指で押動操作することによって、各フィン１２，１３の回動位置を適宜調整して、空気吹出口から吹出される空気流を所望の方向へ指向させることができる。
【００３２】
乗員は、当該レジスタ１０からの車室内への空気の吹出しを所望する場合には、図５に示す起立状態にある第１フィン１２のフィン本体１２ａの上縁部を後方へ押動操作する。これにより、第１フィン１２は、その回動支点Ａ1を中心に前後かつ上下方向に回動し、この際、連結ロッド１４を、その両回動支点Ｂ1，Ｂ2を中心に回動させつつ後方かつ下方へ回動移動動作させる。第２フィン１３は、連結ロッド１４の後方かつ下方への回動移動動作による回動動作力を付与され、その回動中心Ａ2を中心として、第１フィン１２に連動して前後かつ上下方向に回動し、同時に、第３フィン１５を一体に前後かつ上下方向に回動させる。
【００３３】
図６には、第１フィン１２、第２フィン１３および第３フィン１５を所望量回動して、当該レジスタ１０の空気吹出口を所望量開放した状態を示している。この開放状態の当該レジスタ１０においては、空気吹出口から吹出される空気流は、第１フィン１２および第２フィン１３の傾きによって指向されるとともに、第３フィン１３は空気誘導路の底部を素通りする空気流を規制して、第２フィン１３により指向された空気流の乱れを規制すべく機能する。
【００３４】
また、乗員は、当該レジスタ１０からの車室内への空気の吹出しの遮断を所望する場合には、図６に示す傾斜状態にある第１フィン１２のフィン本体１２ａの下縁部を後方へ押動操作する。これにより、第１フィン１２は、その回動支点Ａ1を中心に前後かつ上下方向に回動し、この際、連結ロッド１４を、その両回動支点Ｂ1，Ｂ2を中心に回動させつつ前方かつ上方へ回動移動動作させる。第２フィン１３は、連結ロッド１４の前方かつ上方への回動移動動作による動作力を付与され、その回動中心Ａ2を中心として、第１フィン１２に連動して前後かつ上下方向に回動し、同時に、第３フィン１５を一体に前後かつ上下方向に回動させる。これにより、各フィン１２，１３，１５は、図５に示す起立状態に復帰して、当該レジスタ１０の空気吹出口を閉鎖する。
【００３５】
ところで、当該レジスタ１０においては、第１フィン１２および第２フィン１３を連動して回動して空気吹出口を開放および閉鎖する際、これらの両フィン１２，１３を円滑に回動動作させるには、両フィン１２，１３の回動支点Ａ1，Ａ2を結ぶフィン側の結線Ｌ2と、連結ロッド１４の連結部位である回動支点Ｂ1，Ｂ2を結ぶ連結ロッド側の結線Ｌ1とが互いに平行であることが要請される。しかしながら、連結機構１０ａには、連結構造を構成した際にすでにガタが存在し、長期の使用による連結部位の摩耗等によりガタが生じることがある。
【００３６】
連結機構１０ａにガタが存在しまたはガタが発生すると、連結ロッド１４は、当該ガタに起因して下がって傾き、これら両結線Ｌ1，Ｌ2の平行状態を確保し得ず、両フィン１２，１３を円滑に回動動作させることができない。連結ロッド１４の傾きが大きい場合には、両フィン１２，１３の連動的な回動をし得ないことにもなる。
【００３７】
当該レジスタ１０においては、かかる問題に対処すべく、第２フィン１３および第３フィン１５を互いに連結している連結アーム１６のアーム本体１６ａの後端部に、上方へ突出する受承部１６ｂを設けていて、図５および図６に示すように、当該受承部１６ｂにて、連結機構１０ａを構成している連結ロッド１４の下端側連結部位を下方から受承する構成を採っている。このため、当該受承部１６ｂは、連結機構１０ａにガタが存在している場合でも、連結ロッド１４の下端側連結部位を受承することによって、連結ロッド１４の下がりに起因する傾きを阻止し得て、連結ロッド側の結線Ｌ1とフィン側の結線Ｌ2との平行状態を維持することができる。この結果、両フィン１２，１３の連動的な回動の円滑な回動動作を確保することができる。
【００３８】
なお、上記した実施形態では、第２フィン１３の風向調整を補助する副たる風向調整板である第３フィン１５を備える構成のレジスタ１０の例を示しているが、本発明は、第３のフィン１５を有していない、第１フィン１２および第２フィン１３を備えるレジスタに適用することができることは勿論である。当該レジスタに本発明を適用する場合には、当該レジスタ１０における第３フィン１５を廃止するとともに、連結アーム１６を受承アームに構成して、当該受承アームの受承部にて、連結ロッド１４の下端側連結部位を下方から受承するようにすることができる。また、第２フィン１３には、連結アーム１６とは別途の受承アームを配設して、当該受承アームの受承部にて、連結ロッド１４の下端側連結部位を下方から受承するようにすることもできる。
【図面の簡単な説明】
【００３９】
【図１】本発明に係る空気吹出装置の一実施形態であるレジスタの側面図である。
【図２】当該レジスタの空気吹出口が全閉している状態の正面図である。
【図３】当該レジスタの空気吹出口が半開している状態の正面図である。
【図４】当該レジスタの空気吹出口が全閉している状態の背面図である。
【図５】当該レジスタの空気吹出口が全閉している状態を縦断した端面図である。
【図６】当該レジスタの空気吹出口が半開している状態を縦断した端面図である。
【符号の説明】
【００４０】
１０…レジスタ、１０ａ…連結機構、１０ｂ…インナレジスタ、１１…ケース、１１ａ…ケース本体、１１ｂ…支持アーム、１１ｃ…支持部、１２…第１フィン、１２ａ…フィン本体、１２ｂ…支持アーム、１２ｃ…連結アーム、１３…第２フィン、１３ａ…フィン本体、１３ａ1…凹部、１３ｂ…支持アーム、１３ｃ…連結アーム、１４…連結ロッド、１５…第３フィン、１５ａ…フィン本体、１６…連結アーム、１６ａ…アーム本体、１６ｂ…受承部、１７…リテーナ、１７ａ…リテーナ本体、１７ｂ…網体、１７ｃ…支持部、１８…カバー、ＡＲ…空気誘導路、Ａ1，Ａ2…各フィンの回動支点、Ｂ1，Ｂ2…連結ロッドの各連結端部の回動支点、Ｌ1…回動支点Ｂ1，Ｂ2を結ぶ結線（連結ロッド側の結線）、Ｌ2…回動支点Ａ1，Ａ2を結ぶ結線（フィン側の結線）。
【図１】
2008024241.tif 000003
【図２】
2008024241.tif 000004
【図３】
2008024241.tif 000005
【図４】
2008024241.tif 000006
【図５】
2008024241.tif 000007
【図６】
2008024241.tif 000008